(57)【要約】【課題】色温度向上のために改善された構造を有する電極を備えるプラズマディスプレイパネルを提供する。【解決手段】複数の蛍光体のうち第１の蛍光体が形成された第１の放電セルと、前記複数の蛍光体のうち第２の蛍光体が形成された第２の放電セルと、前記第１の放電セル上に形成され、第１の面積を有する第１の維持電極対と、前記第２の放電セル上に形成され、前記第１の面積よりも狭い第２の面積を有する第２の維持電極対と、を含む。【選択図】図３
2006108111.tif 000002
【特許請求の範囲】
【請求項１】
複数の蛍光体のうち第１の蛍光体が形成された第１の放電セルと、
前記複数の蛍光体のうち第２の蛍光体が形成された第２の放電セルと、
前記第１の放電セル上に形成され、第１の面積を有する第１の維持電極対と、
前記第２の放電セル上に形成され、前記第１の面積よりも狭い第２の面積を有する第２の維持電極対と、を含むことを特徴とするプラズマディスプレイパネル。
【請求項２】
前記第１の蛍光体は、青色蛍光体であることを特徴とする、請求項１記載のプラズマディスプレイパネル。
【請求項３】
前記複数の蛍光体のうち第３の蛍光体が形成された第３の放電セルをさらに含み、
前記第２の蛍光体は赤色蛍光体、前記第３の蛍光体は緑色蛍光体であることを特徴とする、請求項２に記載のプラズマディスプレイパネル。
【請求項４】
前記第１の維持電極対は第１の走査用バス電極を含み、前記第２の維持電極対は第２の走査用バス電極を含み、
前記第１の走査用バス電極は前記第２の走査用バス電極よりも広いことを特徴とする、請求項１記載のプラズマディスプレイパネル。
【請求項５】
前記第１の走査用バス電極の幅は、前記第２の走査用バス電極よりも前記第１の放電セルの中心側に向かって広がることを特徴とする、請求項４に記載のプラズマディスプレイパネル。
【請求項６】
前記第１の維持電極対は第１の維持用バス電極を含み、前記第２の維持電極対は第２の維持用バス電極を含み、
前記第１の維持用バス電極は前記第２の維持用バス電極よりも広いことを特徴とする、
請求項１記載のプラズマディスプレイパネル。
【請求項７】
前記第１の維持用バス電極の幅は、前記第２の走査用バス電極よりも前記第１の放電セルの中心側に向かって広がることを特徴とする、請求項４に記載のプラズマディスプレイパネル。
【請求項８】
前記第１の維持電極対は第１の走査用バス電極を含み、前記第２の維持電極対は第２の走査用バス電極を含み、
前記第１の維持電極対は第１の維持用バス電極を含み、前記第２の維持電極対は第２の維持用バス電極を含み、
前記第１の走査用バス電極と前記第１の維持用バス電極との間の距離は、前記第２の走査用バス電極と前記第２の維持用バス電極との間の距離よりも小さいことを特徴とする、請求項１に記載のプラズマディスプレイパネル。
【請求項９】
前記第１の走査用バス電極及び前記第２の走査用バス電極の外側縁部は略一致し、前記第１の維持用バス電極及び前記第２の維持用バス電極の外側縁部は略一致していることを特徴とする、請求項８に記載のプラズマディスプレイパネル。
【請求項１０】
複数の蛍光体のうち第１の蛍光体が形成された第１の放電セルと、
前記複数の蛍光体のうち第２の蛍光体が形成された第２の放電セルと、
前記第１の放電セル上に前記第１の放電セルの中心側に向かって突設され、第１の部分面積を有する第１の透明電極部と、
前記第２の放電セル上に前記第２の放電セルの中心側に向かって突設され、前記第１の部分面積よりも狭い第２の面積を有する第２の透明電極部と、を含むことを特徴とするプラズマディスプレイパネル。
【請求項１１】
前記第１の蛍光体は、青色蛍光体であることを特徴とする、請求項１０記載のプラズマディスプレイパネル。
【請求項１２】
前記第１の透明電極部は、前記第１の放電セルの中心側に向かって第１の方向に沿って形成された第１の走査用垂直接続部を含み、
前記第２の透明電極部は、前記第２の放電セルの中心側に向かって前記第１の方向に沿って形成された第２の走査用垂直接続部を含み、
前記第１の走査用垂直接続部は、前記第２の走査用垂直接続部の幅よりも広いことを特徴とする、請求項１０記載のプラズマディスプレイパネル。
【請求項１３】
前記第１の走査用垂直接続部の幅は、前記第１の方向と略垂直な第２の方向に沿って広がることを特徴とする、
請求項１２記載のプラズマディスプレイパネル
【請求項１４】
前記第１の透明電極部は、前記第１の走査用垂直接続部と接続された第１の走査用水平接続部をさらに含み、
前記第２の透明電極部は、前記第２の走査用垂直接続部と接続された第２の走査用水平接続部をさらに含み、
前記第１の走査用水平接続部は、前記第２の走査用水平接続部よりも広いことを特徴とする、請求項１２記載のプラズマディスプレイパネル。
【請求項１５】
前記第１の走査用水平接続部の幅は、前記第１の方向に沿って広がることを特徴とする、
請求項１４記載のプラズマディスプレイパネル。
【請求項１６】
前記第１の透明電極部は、前記第１の放電セルの中心側に向かって第１の方向に沿って形成された第１の維持用垂直接続部を含み、
前記第２の透明電極部は、前記第２の放電セルの中心側に向かって前記第１の方向に沿って形成された第２の維持用垂直接続部を含み、
前記第１の維持用垂直接続部は、前記第２の維持用垂直接続部よりも広いことを特徴とする、請求項１０記載のプラズマディスプレイパネル。
【請求項１７】
前記第１の維持用垂直接続部の幅は、前記第１の方向と略垂直な第２の方向に沿って広がることを特徴とする、
請求項１６記載のプラズマディスプレイパネル。
【請求項１８】
前記第１の透明電極部は、前記第１の維持用垂直接続部と接続された第１の維持用水平接続部をさらに含み、
前記第２の透明電極部は、前記第２の維持用垂直接続部と接続された第２の維持用水平接続部をさらに含み、
前記第１の維持用水平接続部は、前記第２の維持用水平接続部よりも広いことを特徴とする、請求項１６記載のプラズマディスプレイパネル。
【請求項１９】
前記第１の維持用水平接続部の幅は、前記第１方向に沿って広がることを特徴とする、請求項１８記載のプラズマディスプレイパネル。
【請求項２０】
前記第１の透明電極部は、第１の走査用透明電極部と第１の維持用透明電極部とを含み、
前記第２の透明電極部は、第２の走査用透明電極部と第２の維持用透明電極部とを含み、
第１の走査用透明電極部と第１の維持用透明電極部との間の距離と、第２の走査用透明電極部と第２の維持用透明電極部との間の距離が一致することを特徴とする、
請求項９に記載のプラズマディスプレイパネル。
【請求項２１】
前記第１の維持電極対は、第１のバス電極対と、第１の透明電極部対とを含んでおり、
前記第２の維持電極対は、第２のバス電極対と、第２の透明電極部対とを含んでおり、
前記第１のバス電極対は前記第２のバス電極対よりも大きな面積を有し、かつ、前記第１の透明電極部対は前記第２の透明電極部対よりも大きな面積を有することを特徴とする、請求項１に記載のプラズマディスプレイパネル。
【発明の詳細な説明】
【技術分野】
【０００１】
本発明は、プラズマディスプレイパネルに関し、より詳しくは、Ｒ、Ｇ、Ｂセル上に形成された走査用バス電極と維持用バス電極を備えるプラズマディスプレイパネルに関する。
【背景技術】
【０００２】
一般に、プラズマディスプレイパネルは、ソーダライム(Soda-lime)ガラスよりなる前面基板と背面基板の間に形成された隔壁で区画される空間が１つの単位セルをなしており、各セル内にはヘリウム−キセノン（Ｈｅ−Ｘｅ）、ヘリウム−ネオン（Ｈｅ−Ｎｅ）などのような不活性ガスが高周波電圧によって放電される際に、真空紫外線(Vacuum Ultraviolet rays)が発生して隔壁の間に形成された蛍光体を発光させて画像を具現する装置である。
【０００３】
図１は、従来のプラズマディスプレイパネルの構造を概略的に示す斜視図である。図１に示すように、プラズマディスプレイパネルは、前面ガラス基板１０と背面ガラス基板２０とよりなる。前面ガラス基板１０と背面ガラス基板２０は所定のギャップを挟んで向かい合っている。
【０００４】
前面ガラス基板１０上には銀放電セルの発光を維持するための維持電極対１１、１２が形成される。維持電極対１１、１２は、走査電極１１と維持電極１２とよりなる。走査電極１１は、走査のための走査パルスと放電維持のための維持パルスを入力される。維持電極１２は、走査電極１１に入力される維持パルスと交互する維持パルスを入力される。走査電極１１と維持電極１２のそれぞれは、透明なインジウムスズ酸化物(Indium-Tin-Oxide：ＩＴＯ)よりなる透明電極１１ａ、１２aと、金属よりなるバス電極１１ｂ、１２ｂとからなる。維持電極対１１、１２は、誘電体層１３ａによって覆われる。酸化マグネシウム(ＭｇＯ)よりなる保護層１４は、放電を容易に行うために誘電体層１３ａ上に形成される。
【０００５】
背面ガラス基板２０上には、多数のアドレス電極２２が維持電極１１、１２と交差して配置される。アドレス電極２２上には誘電体層１３ｂが形成される。誘電体層１３ｂ上には、放電セルの形成のための隔壁２１が形成される。隔壁２１と隔壁２１との間には可視光を放出する蛍光体２３が塗布される。
【０００６】
図２は、従来のプラズマディスプレイパネルの電極の構造を示す図である。図２に示すように、バス電極１１ａ、１１ｂのそれぞれが、図２紙面において、Ｒ(red)蛍光体が塗布された放電セル３０、Ｇ(green)蛍光体が塗布された放電セル４０及びＢ(blue)蛍光体が塗布された放電セル５０の上部と下部に形成される。また、透明電極１２ａ、１２ｂが、バス電極１１ａ、１１ｂのそれぞれから、Ｒ(red)蛍光体が塗布された放電セル３０、Ｇ(green)蛍光体が塗布された放電セル４０及びＢ(blue)蛍光体が塗布された放電セル５０の中心側に向かって突設される。
【０００７】
各放電セルの領域に形成されたバス電極１１ａ、１１ｂと透明電極１２ａ、１２ｂの面積は同一である。これにより各放電セルで放電が起こるときに発生する放電量も同一である。このように各放電セルにおける放電量が同一であるため、各放電セルにおける放電効率は蛍光体の種類によって影響の度合いが変わる。Ｂ蛍光体の発光効率は、Ｒ蛍光体またはＧ蛍光体の発光効率に比べて低い。すなわち、特定の放電量によってＢ蛍光体から放出される光の量は、Ｒ蛍光体やＧ蛍光体から放出される光の量よりも少ない。したがって、各放電セルに形成された電極の面積が同一であれば、プラズマディスプレイパネルが表示する画像の適正な色温度が得られない。
【発明の開示】
【発明が解決しようとする課題】
【０００８】
本発明は、色温度向上のために改善された構造を有する電極を備えるプラズマディスプレイパネルを提供することにある。
【課題を解決するための手段】
【０００９】
本発明のプラズマディスプレイパネルは、複数の蛍光体のうち第１の蛍光体が形成された第１の放電セルと、前記複数の蛍光体のうち第２の蛍光体が形成された第２の放電セルと、前記第１の放電セル上に形成され、第１の面積を有する第１の維持電極対と、前記第２の放電セル上に形成され、前記第１の面積よりも狭い第２の面積を有する第２の維持電極対と、を含む。
【００１０】
好ましくは、前記第１の蛍光体は、青色蛍光体であることを特徴とする。
例えば、前記複数の蛍光体のうち第３の蛍光体が形成された第３の放電セルをさらに含み、前記第２の蛍光体は赤色蛍光体、前記第３の蛍光体は緑色蛍光体であることを特徴とする。
【００１１】
前記第１の維持電極対は第１の走査用バス電極を含み、前記第２の維持電極対は第２の走査用バス電極を含み、前記第１の走査用バス電極は前記第２の走査用バス電極よりも広いことを特徴とする。
例えば、前記第１の走査用バス電極の幅は、前記第２の走査用バス電極よりも前記第１の放電セルの中心側に向かって広がることを特徴とする。
【００１２】
前記第１の維持電極対は第１の維持用バス電極を含み、前記第２の維持電極対は第２の維持用バス電極を含み、前記第１の維持用バス電極は前記第２の維持用バス電極よりも広いことを特徴とする。
例えば、前記第１の維持用バス電極の幅は、前記第２の走査用バス電極よりも前記第１の放電セルの中心側に向かって広がることを特徴とする。
また、前記第１の維持電極対は第１の走査用バス電極を含み、前記第２の維持電極対は第２の走査用バス電極を含み、前記第１の維持電極対は第１の維持用バス電極を含み、前記第２の維持電極対は第２の維持用バス電極を含み、前記第１の走査用バス電極は前記第２の走査用バス電極よりも広く、かつ、前記第１の維持用バス電極は前記第２の維持用バス電極よりも広く、前記第１の走査用バス電極と前記第１の維持用バス電極との間の距離は、前記第２の走査用バス電極と前記第２の維持用バス電極との間の距離よりも小さいことを特徴とする。
好ましくは、前記第１の走査用バス電極及び前記第２の走査用バス電極の外側縁部は略一致し、前記第１の維持用バス電極及び前記第２の維持用バス電極の外側縁部は略一致していることを特徴とする。
【００１３】
本発明のプラズマディスプレイパネルは、複数の蛍光体のうち第１の蛍光体が形成された第１の放電セルと、前記複数の蛍光体のうち第２の蛍光体が形成された第２の放電セルと、前記第１の放電セル上に前記第１の放電セルの中心側に向かって突設され、第１の部分面積を有する第１の透明電極部と、前記第２の放電セル上に前記第２の放電セルの中心側に向かって突設され、前記第１の部分面積よりも狭い第２の面積を有する第２の透明電極部と、を含む。
【００１４】
前記第１の蛍光体は、青色蛍光体であることを特徴とする。
【００１５】
前記第１の透明電極部は、前記第１の放電セルの中心側に向かって第１の方向に沿って形成された第１の走査用垂直接続部を含み、前記第２の透明電極部は、前記第２の放電セルの中心側に向かって前記第１の方向に沿って形成された第２の走査用垂直接続部を含み、前記第１の走査用垂直接続部は、前記第２の走査用垂直接続部よりも広いことを特徴とする。
【００１６】
前記第１の走査用垂直接続部は、前記第２の走査用垂直接続部よりも広く、前記第１の走査用垂直接続部の幅は、前記第１の方向と略垂直な第２の方向に向かって広がることを特徴とする。
【００１７】
前記第１の透明電極部は、前記第１の走査用垂直接続部と接続された第１の走査用水平接続部をさらに含み、前記第２の透明電極部は、前記第２の走査用垂直接続部と接続された第２の走査用水平接続部をさらに含み、前記第１の走査用水平接続部は、前記第２の走査用水平接続部よりも広いことを特徴とする。
【００１８】
前記第１の走査用水平接続部は、前記第２の走査用水平接続部よりも広く、前記第１の走査用水平接続部の幅は、前記第１の方向に沿って広がることを特徴とする。
【００１９】
前記第１の透明電極部は、前記第１の放電セルの中心側に向かって第１の方向に沿って形成された第１の維持用垂直接続部を含み、前記第２の透明電極部は、前記第２の放電セルの中心側に向かって前記第１の方向に沿って形成された第２の維持用垂直接続部を含み、前記第１の維持用垂直接続部は、前記第２の維持用垂直接続部よりも広いことを特徴とする。
【００２０】
前記第１の維持用垂直接続部は、前記第２の維持用垂直接続部よりも広く、前記第１の維持用垂直接続部の幅は、前記第１の方向と略垂直な第２の方向に向かって広がることを特徴とする。
【００２１】
前記第１の透明電極部は、前記第１の維持用垂直接続部と接続された第１の維持用水平接続部をさらに含み、前記第２の透明電極部は、前記第２の維持用垂直接続部と接続された第２の維持用水平接続部をさらに含み、前記第１の維持用水平接続部は、前記第２の維持用水平接続部よりも広いことを特徴とする。
【００２２】
前記第１の維持用水平接続部は、前記第２の維持用水平接続部よりも広く、前記第１の維持用水平接続部の幅は、前記第１方向に隔壁方向に広がることを特徴とする。
好ましくは、前記第１の透明電極部は、第１の走査用透明電極部と第１の維持用透明電極部とを含み、前記第２の透明電極部は、第２の走査用透明電極部と第２の維持用透明電極部とを含み、第１の走査用透明電極部と第１の維持用透明電極部との間の距離と、第２の走査用透明電極部と第２の維持用透明電極部との間の距離が一致することを特徴とする。
他の本発明に係るプラズマディスプレイパネルは、前記第１の維持電極対は、第１のバス電極対と、第１の透明電極部対とを含んでおり、前記第２の維持電極対は、第２のバス電極対と、第２の透明電極部対とを含んでおり、前記第１のバス電極対は前記第２のバス電極対よりも大きな面積を有し、かつ、前記第１の透明電極部対は前記第２の透明電極部対よりも大きな面積を有することを特徴とする。
【発明の効果】
【００２３】
本発明は、特定の蛍光体が形成された放電セルの領域にある電極の面積を増やすことにより、プラズマディスプレイパネルが表示する画像の適正な色温度を得ることができる。
【発明を実施するための最良の形態】
【００２４】
以下、本発明に係る具体的な実施例を添付図を参照して説明する。
【００２５】
＜第１の実施例＞
図３は、本発明の第１の実施例に係るプラズマディスプレイパネルの平面図である。図３に示すように、本発明の第１の実施例に係るプラズマディスプレイパネルは、第１の放電セル３００、第２の放電セル３１０、第１の維持電極対３２０及び第２の維持電極対３３０を含む。
【００２６】
第１の放電セル３００は隔壁により仕切られ、複数の蛍光体のうち第１の蛍光体が形成される。このとき、好ましくは、複数の蛍光体は、Ｒ(red)蛍光体、Ｇ(green)蛍光体及びＢ(blue)蛍光体を含む。また、好ましくは、第１の蛍光体はＢ蛍光体である。
【００２７】
第２の放電セル３１０は隔壁により仕切られ、複数の蛍光体のうち第２の蛍光体が形成される。このとき、好ましくは、第２の蛍光体はＲ(red)蛍光体またはＧ(green)蛍光体である。
【００２８】
第１の維持電極対３２０は、第１の放電セル３００上の前面ガラス基板（図示せず）に形成され、第１の面積を有する。このような第１の維持電極対３２０は、第１の走査用バス電極３２０１、第１の維持用バス電極３２０３、第１の走査用透明電極３２０５及び第１の維持用透明電極３２０７よりなる。このような第１の走査用バス電極３２０１及び第１の走査用透明電極３２０５の位置と、第１の維持用バス電極３２０３及び第１の維持用透明電極３２０７の位置とは、互いに置き換えられる。すなわち、第１の走査用バス電極３２０１及び第１の走査用透明電極３２０５が第１放電セル３００の下部に位置し、第１の維持用バス電極３２０３及び第１の維持用透明電極３２０７が第１放電セル３００の上部に位置できる。
【００２９】
第２の維持電極対３３０は、第２の放電セル３１０上の前面ガラス基板（図示せず）に形成され、前記第１の面積よりも狭い第２の面積を有する。このような第２の維持電極対３３０は、第２の走査用バス電極３３０１、第２の維持用バス電極３３０３、第２の走査用透明電極３３０５及び第２の維持用透明電極３３０７よりなる。このような第２の走査用バス電極３３０１及び第２の走査用透明電極３３０５の位置と、第２の維持用バス電極３３０３及び第２の維持用透明電極３３０７の位置とは、互いに置き換えられる。すなわち、第２の走査用バス電極３３０１及び第２の走査用透明電極３３０５が第２放電セル３１０の下部に位置し、第２の維持用バス電極３３０３及び第２の維持用透明電極３３０７が第２放電セル３１０の上部に位置できる。
【００３０】
図３に示すように、第１の維持電極対３２０の第１の走査用バス電極３２０１と第１の維持用バス電極３２０３は、第２の維持電極対３３０の第２の走査用バス電極３３０１と第２の維持用バス電極３３０３よりも広い。このため、Ｂ蛍光体が形成された第１の放電セル３００上に第１の走査用バス電極３２０１と第１の維持用バス電極３２０３とが形成され、Ｒ蛍光体またはＧ蛍光体が形成された第２の放電セル３１０上に第２の走査用バス電極３３０１と第２の維持用バス電極３３０３が形成されれば、第１の放電セル３００の放電量が第２の放電セル３１０の放電量よりも大きくなる。これにより発光効率の低いＢ蛍光体が一層多くの光を放出することから、プラズマディスプレイパネルが表示する画像の適正な色温度を得ることができる。
図３に於いて、第１の走査用バス電極３２０１は、第２の走査用バス電極３３０１よりも広く、第１の走査用バス電極３２０１の外側縁部と第２の走査用バス電極３３０１の外側縁部は一致し、第１の走査用バス電極３２０１の内側縁部は第２の走査用バス電極３３０１の内側縁部よりも放電セルの内側に突出している。同様に、第１の維持用バス電極３２０３は、第２の維持用バス電極３３０３よりも広く、第１の維持用バス電極３２０３の外側縁部と第２の維持用バス電極３３０３の外側縁部は一致し、第１の維持用バス電極３２０３の内側縁部は第２の維持用バス電極３３０３の内側縁部よりも放電セルの内側に突出している。
言い換えれば、第１の走査用バス電極３２０１と第１の維持用バス電極３２０３との間の距離は、第２の走査用バス電極３３０１と第２の維持用バス電極３３０３との間の距離よりも狭い。
【００３１】
＜第２の実施例＞
図４は、本発明の第２の実施例に係るプラズマディスプレイパネルの平面図である。図４に示すように、本発明の第２の実施例に係るプラズマディスプレイパネルは、第１の放電セル４００、第２の放電セル４１０、第１の維持電極対４２０及び第２の維持電極対４３０を含む。
【００３２】
第１の放電セル４００は隔壁により仕切られ、複数の蛍光体のうち第１の蛍光体が形成される。このとき、好ましくは、複数の蛍光体はＲ(red)蛍光体、Ｇ(green)蛍光体及びＢ(blue)蛍光体を含む。また、好ましくは、第１の蛍光体はＢ蛍光体である。
【００３３】
第２の放電セル４１０は隔壁により仕切られ、複数の蛍光体のうち第２の蛍光体が形成される。このとき、好ましくは、第２の蛍光体はＲ(red)蛍光体またはＧ(green)蛍光体である。
【００３４】
第１の維持電極対４２０は、第１の放電セル４００上の前面ガラス基板（図示せず）に形成され、第１の面積を有する。このような第１の維持電極対４２０は、第１の走査用バス電極４２０１、第１の維持用バス電極４２０３、第１の走査用透明電極４２０５及び第１の維持用透明電極４２０７よりなる。このような第１の走査用バス電極４２０１及び第１の走査用透明電極４２０５の位置と、第１の維持用バス電極４２０３及び第１の維持用透明電極４２０７の位置とは、互いに置き換えられる。すなわち、第１の走査用バス電極４２０１及び第１の走査用透明電極４２０５が第１放電セル４００の下部に位置し、第１の維持用バス電極４２０３及び第１の維持用透明電極４２０７が第１放電セル３００の上部に位置できる。
第１の走査用透明電極４２０５と第１の維持用透明電極４２０７のそれぞれは、第１の走査用バス電極４２０１と第１の維持用バス電極４２０３から第１の放電セル４００の中心側に向かって突設される。このとき、第１の走査用透明電極４２０５と第１の維持用透明電極４２０７は第１の部分面積を有する。すなわち、第１の部分面積は、第１の走査用透明電極４２０５と第１の維持用透明電極４２０７のそれぞれの面積の和となる。
第１の走査用透明電極４２０５は、第１の走査用バス電極４２０１と垂直に接続される第１の走査用垂直接続部４２０５−１と、第１の走査用垂直接続部４２０５−１と垂直に接続される第１の走査用水平接続部４２０５−２とよりなる。第１の維持用透明電極４２０７は、第１の維持用バス電極４２０３と垂直に接続される第１の維持用垂直接続部４２０７−１と、第１の維持用垂直接続部４２０７−１と垂直に接続される第１の維持用水平接続部４２０７−２とよりなる。
【００３５】
第２の維持電極対４３０は、第２の放電セル４１０上の前面ガラス基板（図示せず）に形成され、第１の面積よりも狭い第２の面積を有する。このような第２の維持電極対４３０は、第２の走査用バス電極４３０１、第２の維持用バス電極４３０３、第２の走査用透明電極４３０５及び第２の維持用透明電極４３０７よりなる。このような第２の走査用バス電極４３０１及び第２の走査用透明電極４３０５の位置と、第２の維持用バス電極４３０３及び第２の維持用透明電極４３０７の位置とは、互いに置き換えられる。すなわち、第２の走査用バス電極４３０１及び第２の走査用透明電極４３０５が第２放電セル４１０の下部に位置し、第２の維持用バス電極４３０３及び第２の維持用透明電極４３０７が第２放電セル４１０の上部に位置できる。
第２の走査用透明電極４３０５と第２の維持用透明電極４３０７のそれぞれは、第２の走査用バス電極４３０１と第２の維持用バス電極４３０３から第２の放電セル４１０の中心側に向かって突設される。このとき、第２の走査用透明電極４３０５と第２の維持用透明電極４３０７は、第２の部分面積を有する。すなわち、第２の部分面積は、第２の走査用透明電極４３０５と第２の維持用透明電極４３０７のそれぞれの面積の和となる。
第２の走査用透明電極４３０５は、第２の走査用バス電極４３０１と垂直に接続される第２の走査用垂直接続部４３０５−１と、第２の走査用垂直接続部４３０５−１と垂直に接続される第２の走査用水平接続部４３０５−２とよりなる。第２の維持用透明電極４３０７は、第２の維持用バス電極４３０３と垂直に接続される第２の維持用垂直接続部４３０７−１と、第２の維持用垂直接続部４３０７−１と垂直に接続される第２の維持用水平接続部４３０７−２とよりなる。
【００３６】
図４に示すように、第１の走査用透明電極４２０５及び第１の維持用透明電極４２０７は、第２の走査用透明電極４３０５と第２の維持用透明電極４３０７の第２の部分面積よりも広い第１の部分面積を有する。即ち、第１の走査用透明電極４２０５と第１の維持用透明電極４２０７とを合わせた第１の部分面積は、第２の走査用透明電極４３０５と第２の維持用透明電極４３０７とを合わせた第２の部分面積よりも広い。
このため、Ｂ蛍光体が形成された第１の放電セル４００上に第１の走査用透明電極４２０５及び第１の維持用透明電極４２０７が形成され、Ｒ蛍光体またはＧ蛍光体が形成された第２の放電セル４１０上に第２の走査用透明電極４３０５と第２の維持用透明電極４３０７が形成されれば、第１の放電セル４００の放電量が第２の放電セル４１０の放電量よりも大きくなる。これにより発光効率の低いＢ蛍光体が一層多くの光を放出し易くなることから、プラズマディスプレイパネルが表示する画像の適正な色温度を得ることができる。
この際、第１の走査用透明電極４２０５の第１の走査用垂直接続部４２０５−１は、第２の走査用透明電極４３０５の第２の走査用垂直接続部４３０５−１の幅W2よりも大きな幅W1を有するように構成することができる。
また、第１の走査用透明電極４２０５の第１の走査用水平接続部４２０５−２は、第２の走査用透明電極４３０５の第２の走査用水平接続部４３０５−２の幅W4よりも大きな幅W3を有するように構成することができる。
同様に、第１の維持用透明電極４２０７の第１の維持用垂直接続部４２０７−１は、第２の維持用透明電極４３０７の第２の維持用垂直接続部４３０７−１の幅W6よりも大きな幅W5を有することができる。
また、第１の維持用透明電極４２０７の第１の維持用水平接続部４２０７−２は、第２の維持用透明電極４３０７の第２の維持用水平接続部４３０７−２の幅W8よりも大きな幅W7を有することができる。
【００３７】
このとき、第１の走査用水平接続部４２０５−２と第１の維持用水平接続部４２０７−２の幅が、第１の放電セル４００の中心側に向かって広がると、放電ギャップが狭くなり、放電開始電圧が増加するという問題点が生じる。よって、第１の走査用水平接続部４２０５−２と第１の維持用水平接続部４２０７−２のそれぞれは、隔壁側に向かって広がる幅を有することが望ましい。
言い換えれば、第１の走査用水平接続部４２０５−２と第１の維持用水平接続部４２０７−２との間が、第２の走査用水平接続部４３０５−２と第２の維持用水平接続部４３０７−２との間とが略同一になるように維持しつつ、第１の走査用水平接続部４２０５−２と第１の維持用水平接続部４２０７−２を中心側から遠ざかる方に広げることが望ましい。
本実施形態では、第１の走査用水平接続部４２０５−２の内側縁部と第２の走査用水平接続部４３０５−２の内側縁部が一致し、第１の維持用水平接続部４２０７−２の内側縁部と第２の維持用水平接続部４３０７−２の内側縁部とが一致し、第１の走査用水平接続部４２０５−２の外側縁部が第２の走査用水平接続部４３０５−２の外側縁部よりも外側に広がり、第１の維持用水平接続部４２０７−２の外側縁部が第２の維持用水平接続部４３０７−２の外側縁部より外側に広がるように構成している。
本実施形態では、透明電極部の面積を大きくする構成であるため、電極の面積の増加によって光の透過が妨げられることを防止できる効果もある。
＜他の実施形態＞
第１実施形態では、少なくとも一部の放電セルに於いてバス電極の面積を広くし、第２実施形態では少なくとも一部のセルに於いて青色放電セルに於いて透明電極部の面積を広くした。或いは、少なくとも何れかの放電セルに於いて、バス電極及び透明電極部の両方の面積を他の放電セルのものよりも広くしても良い。
具体的には、図３の第１の走査用バス電極３２０１、第２の走査用バス電極３３０１、第１の維持用バス電極３２０３、第２の維持用バス電極３３０３と、図４の第１の走査用透明電極４２０５、第２の走査用透明電極４３０５、第１の維持用透明電極４２０７、第２の維持用透明電極４３０７とを組み合わせることにより、少なくとも一部の放電セルに於いて、第１の維持電極対の面積が第２の維持電極対の面積よりも大きくなるように構成しても良い。
【図面の簡単な説明】
【００３８】
【図１】従来のプラズマディスプレイパネルの構造を概略的に示す斜視図である。
【図２】従来のプラズマディスプレイパネルの電極の構造図である。
【図３】本発明の第１の実施例に係るプラズマディスプレイパネルの平面図である。
【図４】本発明の第２の実施例に係るプラズマディスプレイパネルの平面図である。
【符号の説明】
【００３９】
３００  第１の放電セル
３１０  第２の放電セル
３２０  第１の維持電極対
３３０  第２の維持電極対
３２０１  第１の走査用バス電極
３２０３  第１の維持用バス電極
３２０５  第１の走査用透明電極
３２０７  第１の維持用透明電極
３３０１  第２の走査用バス電極
３３０３  第２の維持用バス電極
３３０５  第２の走査用透明電極
３３０７  第２の維持用透明電極
４００  第１の放電セル
４１０  第２の放電セル
４２０  第１の維持電極対
４３０  第２の維持電極対
４２０１  第１の走査用バス電極
４２０３  第１の維持用バス電極
４２０５  第１の走査用透明電極
４２０５−１  第１の走査用垂直接続部
４２０５−２  第１の走査用水平接続部
４２０７  第１の維持用透明電極
４２０７−１  第１の維持用垂直接続部
４２０７−２  第１の維持用水平接続部
４３０１  第２の走査用バス電極
４３０３  第２の維持用バス電極
４３０５  第２の走査用透明電極
４３０５−１  第２の走査用垂直接続部
４３０５−２  第２の走査用水平接続部
４３０７  第２の維持用透明電極
４３０７−１  第１の維持用垂直接続部
４３０７−２  第１の維持用水平接続部
【図１】
2006108111.tif 000003
【図２】
2006108111.tif 000004
【図３】
2006108111.tif 000005
【図４】
2006108111.tif 000006